(57)【要約】      （修正有）【課題】一次側で直巻共振効果を達成するため、より少ない平衡変圧器を備えるマルチランプバックライト装置を提供する。【解決手段】マルチランプバックライト装置は第１ランプ２０、第２ランプ２２、制御ユニット２４、共振ユニット２６、及び平衡変圧器２８を含む。制御ユニット２４は制御信号を生成させるために使用される。共振ユニット２６は制御信号を共振信号へ変換するために使用される。平衡変圧器２８は一次巻線２８２、第１二次巻線２８４及び第２二次巻線２８６を含む。一次巻線２８２は共振信号を受信するために使用される。第１二次巻線２８４は一次巻線２８２に対応し、そして第１ランプ２０へ接続される。第２二次巻線２８６は一次巻線２８２に対応し、そして第２ランプ２２へ接続される。【選択図】図２
0003146871.tif 000002
【実用新案登録請求の範囲】
【請求項１】
第1ランプ；
第2ランプ；
制御信号を発生させるための制御ユニット；
前記制御信号を共振信号に変換するための前記制御ユニットへ電気接続された共振ユニット；及び
前記共振信号を受信するための前記共振ユニットへ電気接続された第1一次巻線；
前記第1一次巻線に対応し、そして前記第1ランプへ接続された第1二次巻線；及び
前記第1一次巻線に対応し、そして前記第2ランプへ接続された第2二次巻線；
を備える第1平衡変圧器；
を備えるマルチバックライト装置。
【請求項２】
前記制御ユニットは全波整流回路または半波整流回路を備えることを特徴とする、請求項1に記載のマルチランプバックライト装置。
【請求項３】
前記共振ユニットはキャパシタとインダクタを備えることを特徴とする、請求項1に記載のマルチランプバックライト装置。
【請求項４】
前記制御信号は矩形波であることを特徴とする、請求項1に記載のマルチランプバックライト装置。
【請求項５】
前記共振信号は正弦波であることを特徴とする、請求項1に記載のマルチランプバックライト装置。
【請求項６】
請求項1に記載のマルチランプバックライト装置であって、更に前記ＡＣ電源で前記制御信号を生成させる前記制御ユニットへ電気接続された交流（ＡＣ）電源を備えるマルチランプバックライト装置。
【請求項７】
請求項1に記載のマルチランプバックライト装置であって、更に、第3ランプ、第4ランプ、第3二次巻線、第4二次巻線及び第2一次巻線を有する第2平衡変圧器を備え、前記第1一次巻線と前記第2一次巻線は直列に接続され、前記第3二次巻線は前記第3ランプに接続され、そして前記第4ランプは前記第4ランプに接続されることを特徴とするマルチランプバックライト装置。
【請求項８】
第1ランプ；
第2ランプ；
第3ランプ；
第4ランプ；
制御信号を生成させるための制御ユニット；
前記制御信号を共振信号に変換するための前記制御ユニットへ電気接続された共振ユニット；及び
前記共振信号を受信するための前記共振ユニットへ電気接続された第1一次巻線；
前記第1一次巻線に対応し、そして前記第1ランプへ接続された第1二次巻線；
前記第1一次巻線に対応し、そして前記第2ランプへ接続された第2二次巻線；
前記第1一次巻線に対応し、そして前記第3ランプへ接続された第3二次巻線；
前記第1一次巻線に対応し、そして前記第4ランプへ接続された第4二次巻線；を含む第１平衡変圧器
を備えるマルチバックライト装置。
【請求項９】
前記制御ユニットは全波整流回路または半波整流回路を備えることを特徴とする、請求項8に記載のマルチランプバックライト装置。
【請求項１０】
前記共振ユニットはキャパシタとインダクタを備えることを特徴とする、請求項8に記載のマルチランプバックライト装置。
【請求項１１】
前記制御信号は矩形波であることを特徴とする、請求項8に記載のマルチランプバックライト装置。
【請求項１２】
前記共振信号は正弦波であることを特徴とする、請求項8に記載のマルチランプバックライト装置。
【請求項１３】
請求項8に記載のマルチランプバックライト装置っであって、更に、前記ＡＣ電源で前記制御信号を生成させる前記制御ユニットへ電気接続された交流（ＡＣ）電源を備えるマルチランプバックライト装置。
【請求項１４】
請求項8に記載のマルチランプバックライト装置であって、更に、第2平衡変圧器、第5ランプ、第6ランプ、第7ランプ、及び第8ランプを備え、
前記第2平衡変圧器は第5二次巻線、第6二次巻線、第7二次巻線、第8二次巻線及び第2一次巻線を備え、
前記第1一次巻線と前記第2一次巻線は直列に接続され、前記第5、第6、第7及び第8二次巻線は夫々前記第5、第6、第7及び第8ランプに接続されることを特徴とするマルチランプバックライト装置。
【考案の詳細な説明】
【技術分野】
【０００１】
本考案はマルチランプバックライト装置に関し、特に一次側で直巻共振効果を達成するため、より少ない平衡変圧器を備えるマルチランプバックライト装置に関する。
【背景技術】
【０００２】
近年、液晶表示器（ＬＣＤ）パネル寸法の絶えざる大型化に伴い、多冷陰極蛍光灯（ＣＣＦＬ）を備えるバックライト装置がＬＣＤパネル用の高品質光源として使用されるために広く適用されてきた。
【０００３】
各ランプに対してほぼ等しい電流を維持するため、ＬＣＤ光源に安定した、均一な輝度を提供するように、従来技術の平衡変圧器を備える平衡回路構造がある。
【０００４】
図１は一次側に直巻共振平衡回路構造を備えるルマチランプバックライト装置を図示する概略図である。図１に示すように、平衡回路構造に基づき、マルチランプバックライト装置１の交流（ＡＣ）電源１６により生成させる制御信号（即ち、短形波）を、共振回路１４により共振信号（即ち、正弦波）へ変換できる。その後、共振信号は平衡変圧器１０の一次巻線１０２へ伝送される。次に、共振信号は、平衡変圧器１０の二次巻線１０４からランプ１２を駆動するように、コネクタ１８を介して平衡変圧器１０に対応するランプ１２へ伝送される。
【０００５】
図１に示すように、マルチランプバックライト装置１は１０個のランプ１２を備えると仮定する。１つの平衡変圧器１０は従来技術の平衡回路構造の１つのランプ１２へのみ接続されるので、マルチランプバックライト装置１は、一次側で直巻共振効果を達成するため、１０個の平衡変圧器１０を必要とする。
【０００６】
一次側のこの直巻共振平衡回路構造で、マルチランプバックライト装置は同数の平衡変圧器と、それに対応するランプを必要とする。しかし、マルチランプバックライト装置が非常に多くのランプを備える場合、実際の製品に要するコストと容量を考慮して対応数の平衡変圧器を持つことは非現実的である。
【０００７】
従って、本考案は上記問題を解決するため、マルチランプバックライト装置を提供する。
【考案の開示】
【０００８】
本考案の範囲はマルチランプバックライト装置の提供である。一実施例によると、マルチランプバックライト装置は第１ランプ、第２ランプ、制御ユニット、共振ユニット、及び平衡変圧器を備える。
【０００９】
制御ユニットは制御信号を生成させるために使用する。共振ユニットは制御ユニットへ電気接続され、制御信号を共振信号へ変換するために使用される。平衡変圧器は一次巻線、第１二次巻線、及び第２二次巻線を備える。一次巻線は共振ユニットへ電気接続され、そして共振信号を受信するために使用される。第１二次巻線は一次巻線に対応し、そして第１ランプへ接続される。同時に、第２二次巻線は一次巻線に対応し、そして第２ランプへ接続される。
【００１０】
従来技術に比べ、本考案のマルチランプバックライト装置は、１つの平衡変圧器が従来技術の一次側で直巻共振平衡回路の１つのランプだけ（１対１）しか制御することができないという弱点を改善することができる。本考案のマルチランプバックライト装置は２つのランプ（１対２）又は４つのランプ（１対４）を制御することができる、平衡変圧器を備える平衡回路構造を備える。一次側で直巻共振効果を達成できるだけでなく、本考案のマルチランプバックライト装置は、製品コストを下げるように、一次側で直巻共振回路構造を簡略化すことができる。
【００１１】
本考案の利点と精神は付属図面と共に以下の説明により理解されるだろう。
【考案を実施するための最良の形態】
【００１２】
本考案による第１実施例はマルチランプバックライト装置を備える。図２を参照されたい。図２は本考案によるマルチランプバックライト装置の第１実施例を図示する概略図である。
【００１３】
図２を参照されたい。マルチランプバックライト装置２は第１ランプ２０、第２ランプ２２、コネクタ１９、制御ユニット２４、フィルタ用キャパシタ２５、共振ユニット２６、第１平衡変圧器２８、及び交流（ＡＣ）電源２９を備える。
【００１４】
以下はマルチランプバックライト装置２に含まれる各ユニットの実際の機能と動作についての詳細紹介である。
【００１５】
制御ユニット２４はＡＣ電源２０へ電気接続され、そしてＡＣ電源２９で制御信号を発生させるために使用される。実際の適用では、制御ユニット２４は全波整流回路又は半波整流回路を備える。
【００１６】
共振ユニット２６は制御ユニット２４へ電気接続され、そして制御ユニット２４により生成された制御信号を共振信号へ変換するために使用される。換言すると、共振ユニット２６を介した変換は、制御ユニット２４により入力された短形波を共振正弦波へ変換することができる。実際の適用では、共振ユニット２６はキャパシタとインダクタを備える。従って、共振ユニット２６はＬＣ共振回路から構成される。実際の適用では、フィルタ用キャパシタ２５は共振ユニット２６と第１平衡変圧器２８の間に設置される。フィルタ用キャパシタ２５は、共振ユニット２６により生成された正弦波へのフィルタ処理を完了させることができる。
【００１７】
第１平衡変圧器２８は第１一次巻線２８２、第１二次巻線２８４、及び第２二次巻線２８６を備える。第１一次巻線２８２は共振ユニット２６へ電気接続され、そして共振信号を受信するために利用される。第１二次巻線２８４は第１一次巻線２８２に対応し、そして第１ランプ２０へ接続される。第２二次巻線２８６は第１一次巻線２８２に対応し、そして第２ランプ２２へ接続される。実際の適用では、第１二次巻線２８４及び第２二次巻線２８６は、夫々コネクタ１９を介して第１ランプ１９と第２ランプ２２へ接続される。
【００１８】
マルチランプバックライト装置２で、第１平衡変圧器２８は第１ランプ２０と第２ランプ２２に対応する。従って、第１平衡変圧器２８は１対２の平衡変圧器である。
【００１９】
図４を参照されたい。図４は図２に示す第１平衡変圧器の基本構造を図示する概略図である。中心の印Ｐ１は第１一次巻線２８２を表す。印Ｓ１とＳ２は、夫々第１二次巻線及び第２二次巻線を表す。
【００２０】
共振ユニット２６は制御ユニット２４により生成された制御信号を共振信号へ変換する。その後、第１平衡変圧器２８の第１一次巻線２８２は共振ユニット２６から共振信号を受信する。
【００２１】
平衡変圧器２８は第１二次巻線２８４と第１一次巻線２８２に対応する第２二次巻線の両方を備えるので、第１平衡変圧器により第１二次巻線２８４に対応する第１変換共振信号、及び第２二次巻線２８６に対応する第２変換共振信号からなる変換共振信号へ共振信号を変換することができる。第１変換共振信号と第２変換共振信号は、それぞれ尚正弦波である。
【００２２】
その後、第１二次巻線２８４は第１変換共振信号を第１ランプ２０へ伝送することができる。第１変換共振信号を使用して、第１ランプ２０を駆動することができる。第２二次巻線２８６は第２ランプ２２を駆動するため、第２変換信号を第２ランプ２２へ伝送することができる。
【００２３】
更に、マルチランプバックライト装置２は、更により多くの平衡変圧器と夫々変換器に対応するマルチランプを備える。マルチランプバックライト装置２のようなものは、更に図２の第３ランプ２１、第４ランプ２３、及び第２平衡変圧器２７を備える。
【００２４】
第２平衡変圧器２７は第２一次巻線２７２、第３二次巻線２７４、及び第４二次巻線２７６を備える。第３二次巻線２７４と第４二次巻線２７６は第２一次巻線２７２に対応する。
【００２５】
マルチランプバックライト装置２で、一次側で直巻共振効果を達成するため、全ての一次巻線は直列に接続される。図２に示すように、第１二次巻線２８２と第２一次巻線２７２は直列に接続される。ところで、第３二次巻線２７４は第３ランプ２１へ接続され、そして第４二次巻線２７６は第４ランプ２３へ接続される。更に、図２は上記例を繰り返す別の２つの平衡変圧器と対応するランプも示す。
【００２６】
本考案による第２実施例は、図３に示すマルチランプバックライト装置である。図３は本考案によるマルチランプバックライト装置の第２実施例を図示する概略図である。
【００２７】
図３を参照されたい。マルチランプバックライト装置３は第１ランプ３０、第２ランプ３２、第３ランプ３４、第４ランプ３６、コネクタ４３、制御ユニット３８、フィルタ用キャパシタ４５、共振ユニット４０、第１平衡変圧器４２及び交流（ＡＣ）電源４４を備える。
【００２８】
以下はマルチランプバックライト装置３に含まれる各ユニットの実際の機能と動作の詳細紹介である。
【００２９】
制御ユニット３８はＡＣ電流４４へ電気接続され、そしてＡＣ電源４４で制御信号を生成するために使用される。実際の適用で、制御ユニット３８は全波整流回路、または半波整流回路を備える。
【００３０】
共振ユニット４０は制御ユニット３８へ電気接続され、そして制御信号を共振信号へ変換するために使用される。換言すると、共振ユニット４０は制御ユニット３８により入力された短形波を共振正弦波に変換することができる。実際の適用で、共振ユニット４０はキャパシタとインダクタを備える。従って、共振ユニット４０はＬＣ共振回路を含む。実際の適用で、フィルタ用キャパシタ４５は共振ユニット４０と第１平衡変圧器４２の間に設置される。フィルタ用キャパシタ４５は、共振ユニット４０により生成された正弦波へのフィルタ処理を完了させることができる。
【００３１】
平衡変圧器４２は第１一次巻線４２２、第１二次巻線４２４、第２二次巻線４２６、第３二次巻線４２８、及び第４二次巻線４３０を備える。第１一次巻線４２２は共振ユニット４０へ電気接続され、そして共振ユニット４０により生成される共振信号を受信するために使用される。
【００３２】
第１二次巻線４２４は第１一次巻線４２２に対応し、そして第１ランプ３０へ接続される。第２二次巻線４２６は第１一次巻線４２２に対応し、そして第２ランプ３２へ接続される。第３二次巻線４２８は第１一次巻線４２２に対応し、そして第３ランプ３４へ接続される。第４二次巻線４３０は第１一次巻線４２２に対応し、そして第４ランプ３６へ接続される。実際の適用で、第１二次巻線４２４、第２二次巻線４２６、第３二次巻線４２８、及び第４二次巻線４３０は、夫々コネクタ４３を介して、第１ランプ３０、第２ランプ３２、第３ランプ３４、第４ランプ３６へ接続される。
【００３３】
マルチランプバックライト装置３で、第１平衡変圧器４２は、同時に第１ランプ３０、第２ランプ３２、第３ランプ３４、及び第４ランプ３６に対応する。総合すると、第１平衡変換器４２は１対４の平衡変圧器である。
【００３４】
図５を参照されたい。図５は図３に示す第１平衡変圧器の基本構造を図示する概略図である。図５で、中央の印Ｐ１は第１一次巻線４２２を表す。印Ｓ１、Ｓ２、Ｓ３及びＳ４は夫々第１二次巻線４２４、第２二次巻線４２６、第３二次巻線４２８、及び第４二次巻線４３０を表す。
【００３５】
最初に、共振ユニット４０は制御ユニット３８により生成された制御信号を共振信号に変換し、次に第１平衡変圧器４２の第１一次巻線４２２は共振ユニット４０からの信号を受信する。
【００３６】
第１平衡変圧器４２の二次側は第１二次巻線４２４、第２二次巻線４２６、第３二次巻線４２８、及び第４二次巻線４３０を備える。従って、第１平衡変圧器４２を介して、第１二次巻線４２４に対応する第１変換共振信号、第２二次巻線４２６に対応する第２変換共振信号、第３二次巻線４２８に対応する第３変換共振信号、及び第４二次巻線４３０に対応する第４変換共振信号へ共振信号を変換することができる。第１変換共振信号、第２変換共振信号、第３変換共振信号、及び第４変換共振信号は、夫々なお正弦波である。
【００３７】
次に、第１二次巻線４２４は第１変換共振信号を第１ランプ３０へ伝送することができる。第１変換共振信号は第１ランプ３０を駆動するために使用できる。第２二次巻線４２６は第２ランプ３２を駆動するため、第２変換信号を第２ランプ３２へ伝送することができる。第３二次巻線４２８は第３ランプ３４を駆動するため、第３変換信号を第３ランプ３４へ伝送することができる。第４二次巻線４３０は、第４ランプ３６を駆動するため、第４変換信号を第２ランプ３６へ伝送することができる。
【００３８】
更に、マルチランプバックライト装置３は、更に図３に示すように、第５ランプ３１、第６ランプ３３、第７ランプ３５、第８ランプ３７、及び第２平衡変圧器３９を備える。第２平衡変圧器３９は第２一次巻線３９０、第５二次巻線３９２、第６二次巻線３９４、第７二次巻線３９６、及び第８二次巻線３９８を備える。
【００３９】
直巻一次側共振を達成するため、マルチランプバックライト装置３における一次巻線は、全て直列に接続される。図３に示すように、第１一次巻線４２２及び第２一次巻線３９０は直列に接続される。ところで、第５二次巻線３９２は第５ランプ３１へ接続される。第６二次巻線３９４は第６ランプ３３へ接続される。第７二次巻線３９６は第７ランプ３５へ接続される。第８二次巻線３９８は第８ランプ３７へ接続される。
【００４０】
更に、図３は上記例を繰り返すマルチランプバックライト装置３における他の２つの平衡変圧器、及びそれに対応するランプも示す。
【００４１】
従来技術に比較して、本考案のマルチランプバックライト装置は、１つの平衡変圧器は従来技術の一次側で、直巻共振平衡回路構造における１つのランプ（１対１）だけを制御することができる。本考案のマルチランプバックライト装置は、２つのランプ（１対２）又は４つのランプ（１対４）を制御することができる平衡変圧器を有する平衡回路構造を備える。一次側の直巻共振効果が達成できるだけでなく、本考案のマルチランプバックライト装置は、製品コストを下げるように、一次側の直巻共振回路構造を簡素化することができる。
【００４２】
上記例と説明で、本考案の特徴と精神を期待して記述されるだろう。この装置の多くの修正と変更を、本考案の教示を維持しながら行うことを当業者は容易に観察するだろう。従って、上記開示は付属の実用新案登録請求の範囲によってのみ限定されると解釈されるべきである。
【図面の簡単な説明】
【００４３】
【図１】一次側で直巻共振平衡回路構造を有するマルチランプバックライト装置を図示する概略図である。
【図２】本考案によるマルチランプバックライト装置の第１実施例を図示する概略図である。
【図３】本考案によるマルチランプバックライト装置の第２実施例を図示する概略図である。
【図４】図２に示す第１平衡変圧器の基本構造を図示する概略図である。
【図５】図３に示す第１平衡変圧器の基本構造を図示する概略図である。
【符号の説明】
【００４４】
1、2、3：マルチランプバックライト装置
12、20、30：第1ランプ
14、26、40：共振ユニット
16、29，44：ＡＣ電源
18、19、43：コネクタ
21，34：第3ランプ
22、32：第2ランプ
23、36：第4ランプ
24、38：制御ユニット
25，45：フィルタ用キャパシタ
26、40：共振ユニット
27、39：第2平衡変圧器
28、42：第1平衡変圧器
31：第5ランプ
33：第6ランプ
35：第7ランプ
37：第8ランプ
102、282，422：第1一次巻線
104、284，424：第1二次巻線
272、286、426：第2二次巻線
274：第3二次巻線
276：第4二次巻線
286：第2二次巻線
390：第2一次巻線
392：第5二次巻線
394：第6二次巻線
396：第7二次巻線
398：第8二次巻線
428：第3二次巻線
430：第4二次巻線
【図１】
0003146871.tif 000003
【図２】
0003146871.tif 000004
【図３】
0003146871.tif 000005
【図４】
0003146871.tif 000006
【図５】
0003146871.tif 000007